(57)【特許請求の範囲】
【請求項１】
木部材と他の被接合部材との接合構造であって、
該木部材には、金属からなる棒状の埋め込み部材が、該埋め込み部材のほぼ全長にわたって埋め込んで固定されており、
該埋め込み部材の端面に当接して接合金具が固着されるともに、該接合金具が前記被接合部材に固着されており、
前記埋め込み部材には、前記接合金具が固着される端面から軸線方向に中空孔が設けられ、
該中空孔は該埋め込み部材の全長の中央部付近まで設けられて、該中空孔の底部に雌ねじが切削されており、
前記端面から該中空孔に挿入した長ボルトの先端部が前記雌ねじに螺合されて該埋め込み部材に係止されるとともに、該長ボルトの前記雌ねじとの螺合部から前記端面までは前記中空孔の内径より小径となって、前記中空孔の内周面との間が離隔しており、
該長ボルトの後端部に螺合した締付ナットを前記接合金具に係止し、締め付けて該接合金具が前記埋め込み部材に固着されていることを特徴とする木部材接合構造。
【請求項２】
木部材と他の被接合部材との接合構造であって、
該木部材には、金属からなる棒状の埋め込み部材が、該埋め込み部材のほぼ全長にわたって埋め込んで固定されており、
該埋め込み部材の端面に当接して接合金具が固着されるともに、該接合金具が前記被接合部材に固着されており、
前記埋め込み部材には、前記接合金具が固着される端面から反対側の端面に貫通する軸線方向の中空孔が設けられ、
該埋め込み部材の前記反対側の端面付近には、前記中空孔の内周面に雌ねじが切削されており、
前記端面から該中空孔に挿入した長ボルトの先端部が前記雌ねじに螺合されて該埋め込み部材に係止されるとともに、該長ボルトの前記雌ねじとの螺合部から前記端面までは前記中空孔の内径より小径となって、前記中空孔の内周面との間が離隔しており、
該長ボルトの後端部に螺合した締付ナットを前記接合金具に係止し、締め付けて該接合金具が前記埋め込み部材に固着されていることを特徴とする木部材接合構造。
【請求項３】
木部材と他の被接合部材との接合構造であって、
該木部材には、金属からなる棒状の埋め込み部材が、該埋め込み部材のほぼ全長にわたって埋め込んで固定されており、
該埋め込み部材の端面に当接して接合金具が固着されるともに、該接合金具が前記被接合部材に固着されており、
前記埋め込み部材には、前記接合金具が固着される端面から反対側の端面に貫通する軸線方向の中空孔が設けられ、
前記端面から該中空孔に長ボルトが挿入されて貫通し、該長ボルトの先端部に螺合された定着ナットが該埋め込み部材の反対側の端面に当接して係止されるとともに、該長ボルトは前記中空孔の内径より小径となって、前記中空孔の内周面との間が離隔しており、
該長ボルトの後端部に螺合した締付ナットを前記接合金具に係止し、締め付けて該接合金具が前記埋め込み部材に固着されていることを特徴とする木部材接合構造。
【請求項４】
前記埋め込み部材は、外周面に螺旋状の張り出し部を有するスクリュー部材であって、木部材にねじ込まれて前記張り出し部が木部材と係合して一体化されるものであることを特徴とする請求項１、請求項２又は請求項３に記載の木部材接合構造。
【請求項５】
前記埋め込み部材は、木部材に穿設された孔に挿入され、該埋め込み部材の外周面と前記孔の内周面との間に充填された接着剤によって一体化されるものであることを特徴とする請求項１、請求項２又は請求項３に記載の木部材接合構造。
【請求項６】
前記長ボルトの前記接合金具に係止される側の端部には中間ナットが螺合され、該中間ナットが前記埋め込み部材の端面に当接されており、該中間ナットと前記締付ナットとの間に前記接合金具の一部を挟み込んで該接合金具が固着されていることを特徴とする請求項１又は請求項２に記載の木部材接合構造。
【請求項７】
前記長ボルトは、軸線方向の弾性的な伸びが生じた状態で両端がそれぞれ前記埋め込み部材又は前記接合金具に係止されており、該長ボルトからの反力によって該埋め込み部材に圧縮力が導入されていることを特徴とする請求項１から請求項５までのいずれかに記載の木部材接合構造。
【請求項８】
前記長ボルトの前記接合金具に係止される側の端部には中間ナットが螺合され、該長ボルトに軸線方向の弾性的な伸びが生じた状態で、前記中間ナットが前記埋め込み部材の端面に当接され、該中間ナットと前記締付ナットとの間に前記接合金具の一部を挟み込んで該接合金具が固着されていることを特徴とする請求項１から請求項５までのいずれかに記載の木部材接合構造。
【請求項９】
前記埋め込み部材は、前記長ボルトを前記中空孔に挿通して先端部を係止し、該長ボルトに軸線方向の弾性的な伸びが生じた状態で前記中間ナットが前記埋め込み部材の端面に当接された後に、前記木部材に埋め込まれたものであることを特徴とする請求項８に記載の木部材接合構造。
【請求項１０】
前記木部材は断面が長方形の柱であり、該木部材の端部における長辺方向の両端部にそれぞれ切り欠きが設けられ、
前記埋め込み部材は、該切り欠き内から該柱の軸線方向に埋め込まれ、
前記接合金具は該切り欠き内に固着され、
該柱の端面は、前記被接合部材の水平面に対向して接合されていることを特徴とする請求項１から請求項９までのいずれかに記載の木部材接合構造。
【発明の詳細な説明】
【技術分野】
【０００１】
本願発明は、木造建築物における柱や梁等の木部材と、同様の木部材又は基礎等の被接合部材とを接合する構造に係り、特に木部材に金属からなる埋め込み部材を埋め込んで固着し、この埋め込み部材と被接合部材とを接合金具を介して接合する構造に関する。
【背景技術】
【０００２】
木造建築物において、柱と梁とをいわゆる剛結合、つまり曲げモーメントの伝達が生じる結合とし、軸組みをラーメン構造とする提案がなされている。このような構造では、柱と梁とを、又は柱と基礎とを曲げモーメントの伝達が可能に接合する必要が生じる。また、接合部に引張力が作用する場合もある。
【０００３】
上記にように曲げモーメントや引張力の伝達が可能に木部材を接合する構造としては、例えば、特許文献１に以下のような接合構造が提案されている。
この接合構造は、断面が長方形で長辺が短辺の３倍から５倍程度となっている部材を柱及び梁として用い、これらを接合するものである。柱は梁の上面は下面に当接して接合されるものであり、柱の下端又は上端における長辺方向の両端部に切り欠きが設けられ、この切り欠きから柱の軸方向に２本のスクリュー部材がねじ込まれている。スクリュー部材は、棒状の鋼部材の側面に螺旋状の張り出し部を備えたものであり、端面から軸線方向にボルト穴が穿設され、内周面には雌ねじが切削されている。上記切り欠き内にはそれぞれ接合金具が装着され、上記スクリュー部材の端面からボルト穴に螺合したボルトによって、このスクリュー部材と結合されている。一方、梁の対応する位置にも鉛直方向に２本のスクリュー部材がねじ込まれており、柱の上面又は下面は柱の端面と当接されるとともに接合金具に当接される。そして、梁にねじ込まれたスクリュー部材の端面に形成されたボルト穴に螺合されたボルトによって接合金具が、梁にねじ込まれたスクリュー部材とも強固に結合されている。
【特許文献１】特開２００４−１４３７７９号公報
【発明の開示】
【発明が解決しようとする課題】
【０００４】
しかしながら、上記のような接合構造では、次に示すような改良が望まれる課題がある。
地震等、大きな水平力が構造物に作用すると、ラーメン構造体の柱と梁との接合部又は柱の下端つまり柱と基礎との接合部に大きな曲げモーメントが作用する。接合部に大きな曲げモーメントが生じた場合、接合金具及びスクリュー部材と接合金具とを結合するボルトには引張力が作用し、上下方向に変形が生じる。接合金具は、終局耐力の大きなものが用いられ、一般に接合構造の終局状態はボルトの破断が生じたときとなる。そして、ボルトは、引張応力が生じている範囲がボルトの頭部からスクリュー部材に螺合されている部分までで、その長さが短く、終局時に伸びが生じる範囲が少ない。このため、終局状態でボルトに生じている変形量は少なくなる。
【０００５】
一般に構造物は、終局状態における変形量つまり塑性変形が大きいと、ねばりのある強靱な構造となることが知られている。特にラーメン構造のような不静定構造物は、構造物の各部が大きな塑性変形を許容するものであると、大きな荷重が作用して構造躯体の一部に塑性変形が生じたときに、曲げモーメントの再分配が生じ、終局破壊までの耐力が向上する。また、地震時のように繰り返し荷重（振動）が作用するときには、塑性変形が生じることによって運動エネルギーが吸収され、振動が減衰して終局破壊に対する安全性が向上する。
したがって、柱と梁との接合部等において終局破壊までの変形量を大きくし、構造物の終局耐力を向上させることが望まれている。
【０００６】
一方、小さな荷重つまり構造部材が十分に安全な範囲で荷重が作用しているときには、接合部分の変形量は小さく抑えることが望ましい。荷重載荷の初期状態における荷重と変形との関係では、できるだけ変形量を小さくし、剛性が大きい状態とすることが望まれている。剛性が小さいと構造躯体が変形し易くなり、小さな地震でも揺れやすくなってしまう。
【０００７】
本願発明は、上記のような事情に鑑みてなされたものであり、その目的は、木部材を被接合部材と接合する構造において、終局状態までの塑性変形量を大きくし、構造物の安全性を向上すること、又はこれに加えて接合部の初期剛性を高め、構造物に設計上考慮される荷重が作用している状態では変形量を小さく抑制することである。
【課題を解決するための手段】
【０００８】
上記課題を解決するために、請求項１に係る発明は、    木部材と他の被接合部材との接合構造であって、  該木部材には、金属からなる棒状の埋め込み部材が、該埋め込み部材のほぼ全長にわたって埋め込んで固定されており、  該埋め込み部材の端面に当接して接合金具が固着されるともに、該接合金具が前記被接合部材に固着されており、  前記埋め込み部材には、前記接合金具が固着される端面から軸線方向に中空孔が設けられ、  該中空孔は該埋め込み部材の全長の中央部付近まで設けられて、該中空孔の底部に雌ねじが切削されており、  前記端面から該中空孔に挿入した長ボルトの先端部が前記雌ねじに螺合されて該埋め込み部材に係止されるとともに、該長ボルトの前記雌ねじとの螺合部から前記端面までは前記中空孔の内径より小径となって、前記中空孔の内周面との間が離隔しており、  該長ボルトの後端部に螺合した締付ナットを前記接合金具に係止し、締め付けて該接合金具が前記埋め込み部材に固着されている木部材接合構造を提供する。
【０００９】
この接合構造では、上記接合金具によって接合された木部材と被接合部材との間で引き離そうとする力が作用したときに、長ボルトに引張力が作用する。そして、この接合構造の終局状態を考えると、長ボルトの引張力がその終局強度より大きくなったときに長ボルトが破断し、接合構造が破壊されるように設定することができる。
長ボルトは、一端が接合金具に係止されるとともに、他端は埋め込み部材の中空孔に挿入して係止され、この長ボルトの中間部分は埋め込み部材の中空孔内で伸縮が許容される状態となっている。したがって、上記のように木部材と被接合部材との間に引き離す力が作用したときに、長ボルトにはほぼ全長にわたって引張力が作用する。そして、この長ボルトの引張応力が降伏点に達し、さらに塑性変形を生じて破断するときには、長さ方向の広い範囲で塑性変形が生じ、終局的な破断までの変形量が大きくなる。このように長ボルトの変形量が大きくなることによって接合構造も終局的な破壊が生じるまでの塑性変形量が大きくなる。したがって、このような接合構造が採用された構造物では、大きな荷重が作用して破壊に至るまでに、曲げモーメント等の断面力の再分配が生じ、終局耐力が向上する。また、地震時等の繰り返し荷重が作用したときには、塑性変形によって振動のエネルギーを吸収し、いわゆる制震作用によって構造物の振動が減衰され、揺れが大きくなるのが抑制される。
【００１０】
一方、長ボルトに作用する引張力は、埋め込み部材と係止された位置でこの埋め込み部材に伝達され、埋め込み部材を引き抜く方向の力となって作用する。この力は、図１６に示すように、埋め込み部材の外周面から木部材へ伝達される。したがって、長ボルトが係止された位置より引き抜き側には、埋め込み部材に圧縮力が作用し、長ボルトが係止された位置より先端側には引張力が作用する。このように、長ボルトを中空孔に挿入して係止することにより、従来の接合構造で埋め込み部材の端部にボルトが螺合される構造に比べて、埋め込み部材に生じる引張力が著しく減少する。これにより、埋め込み部材に鋳造品等を用いることが可能となり、製造コストを低減することが可能となる。
【００１１】
なお、この接合構造では、終局状態における破壊は長ボルトで生じるように設計するのが望ましく、接合する部材の寸法、剛性、強度等に応じ、上記長ボルトの径、材質等を適切に選択することができる。これにより、終局状態における破壊パターンを制御することができ、より安全な設計が可能となる。
【００１２】
請求項２に係る発明は、  木部材と他の被接合部材との接合構造であって、  該木部材には、金属からなる棒状の埋め込み部材が、該埋め込み部材のほぼ全長にわたって埋め込んで固定されており、  該埋め込み部材の端面に当接して接合金具が固着されるともに、該接合金具が前記被接合部材に固着されており、  前記埋め込み部材には、前記接合金具が固着される端面から反対側の端面に貫通する軸線方向の中空孔が設けられ、  該埋め込み部材の前記反対側の端面付近には、前記中空孔の内周面に雌ねじが切削されており、  前記端面から該中空孔に挿入した長ボルトの先端部が前記雌ねじに螺合されて該埋め込み部材に係止されるとともに、該長ボルトの前記雌ねじとの螺合部から前記端面までは前記中空孔の内径より小径となって、前記中空孔の内周面との間が離隔しており、  該長ボルトの後端部に螺合した締付ナットを前記接合金具に係止し、締め付けて該接合金具が前記埋め込み部材に固着されている木部材接合構造を提供するものである。
【００１３】
この接合構造における埋め込み部材では、中空孔が軸線方向に貫通し、長ボルトの先端は接合金具が固着される端部と反対側の端部に螺合されるので、この長ボルトを螺合するための雌ねじは近くの端面から切削することができ、加工が容易となる。また、長ボルトに引張力が作用したときに、埋め込み部材のほぼ全長にわたって圧縮力が作用するものとなる。
【００１４】
請求項３に係る発明は、  木部材と他の被接合部材との接合構造であって、  該木部材には、金属からなる棒状の埋め込み部材が、該埋め込み部材のほぼ全長にわたって埋め込んで固定されており、  該埋め込み部材の端面に当接して接合金具が固着されるともに、該接合金具が前記被接合部材に固着されており、  前記埋め込み部材には、前記接合金具が固着される端面から反対側の端面に貫通する軸線方向の中空孔が設けられ、  前記端面から該中空孔に長ボルトが挿入されて貫通し、該長ボルトの先端部に螺合された定着ナットが該埋め込み部材の反対側の端面に当接して係止されるとともに、該長ボルトは前記中空孔の内径より小径となって、前記中空孔の内周面との間が離隔しており、  該長ボルトの後端部に螺合した締付ナットを前記接合金具に係止し、締め付けて該接合金具が前記埋め込み部材に固着されている木部材接合構造を提供するものである。
【００１５】
この接合構造では、長ボルトは先端に螺合されたナットによって埋め込み部材に係止されるので、埋め込み部材には雌ねじを切削する必要はなく、埋め込み部材の加工が容易となって製作費用を低減することができる。
【００１６】
請求項４に係る発明は、請求項１、請求項２又は請求項３に記載の木部材接合構造において、  前記埋め込み部材は、外周面に螺旋状の張り出し部を有するスクリュー部材であって、木部材にねじ込まれて前記張り出し部が木部材と係合して一体化されるものとする。
【００１７】
上記スクリュー部材は、木部材にあらかじめ穿設された孔にねじ込むことにより、外周面の張り出し部が木部材と係合されて強固に一体化される。したがって、接合金具及び長ボルトを介してこのスクリュー部材を引き抜く方向に力が作用しても強固に抵抗するものとなる。
【００１８】
請求項５に係る発明は、請求項１、請求項２又は請求項３に記載の木部材接合構造において、  前記埋め込み部材は、木部材に穿設された孔に挿入され、該埋め込み部材の外周面と前記孔の内周面との間に充填された接着剤によって一体化されるものとする。
【００１９】
上記埋め込み部材は、接着剤によって木部材と強固に一体化され、木部材から引き抜く方向の力に対して十分に抵抗することができる。
【００２０】
請求項６に係る発明は、請求項１又は請求項２に記載の木部材接合構造において、  前記長ボルトの前記接合金具に係止される側の端部には中間ナットが螺合され、該中間ナットが前記埋め込み部材の端面に当接されており、該中間ナットと前記締付ナットとの間に前記接合金具の一部を挟み込んで該接合金具が固着されているものとする。
【００２１】
上記木部材１と被接合部材２との間に引き離そうとする力が作用し、接合金具１４から長ボルト１３の引張方向に力が作用したときに、図１７（ａ）に示すように伸びが生じた長ボルト１３は埋め込み部材１１の中空孔から引き出されるが、接合金具１４の一部は中間ナット１７と締付ナット１６との間に挟み込まれた状態が維持される。そして、長ボルト１３に塑性変形が生じた後、荷重の方向が反転して木部材１と被接合部材２との間に押し付けようとする力が作用すると、接合金具１４が中間ナット１７に係止され、長ボルト１３に圧縮応力を生じさせる。これに対し、中間ナット１７が用いられていないと、図１７（ｂ）に示すように長ボルト１３の塑性変形は残留したまま接合金具１４が元の位置に戻ることになる。
上記のように、長ボルト１３に引張側への塑性変形が生じた後、荷重の方向が反転したときに圧縮側にも長ボルト１３が塑性変形を生じることになり、地震荷重のように繰り返し方向が反転する荷重が作用したときに、力と変位との関係が大きな範囲を囲むような履歴曲線を描く。これにより、部材が運動エネルギーを吸収して振動を抑制する効果が生じる。
【００２２】
請求項７に係る発明は、請求項１から請求項５までのいずれかに記載の木部材接合構造において、  前記長ボルトは、軸線方向の弾性的な伸びが生じた状態で両端がそれぞれ前記埋め込み部材又は前記接合金具に係止されており、該長ボルトからの反力によって該埋め込み部材に圧縮力が導入されているものとする。
【００２３】
この接合構造では、あらかじめ長ボルトに引張力が導入されており、接合金具を埋め込み部材に押し付けるように作用している。したがって、木部材と被接合部材との間に引き離そうとする力が作用し、接合金具から長ボルトの引張方向に力が作用したときに、その力が接合金具と埋め込み部材の端面との間に作用している圧縮力を上回るまで、埋め込み部材の中空孔から長ボルトが引き出されてこない。このため、接合された木部材と被接合部材との間の変位量は、載荷初期において小さく抑えられ、接合部の剛性は大きくなる。したがって、このように部材が接合された構造物の剛性も大きくなり、設計上考慮された荷重での変形量が少なく、揺れにくい構造とすることができる。
【００２４】
請求項８に係る発明は、請求項１から請求項５までのいずれかに記載の木部材接合構造において、  前記長ボルトの前記接合金具に係止される側の端部には中間ナットが螺合され、該長ボルトに軸線方向の弾性的な伸びが生じた状態で、前記中間ナットが前記埋め込み部材の端面に当接され、該中間ナットと前記締付ナットとの間に前記接合金具の一部を挟み込んで該接合金具が固着されているものとする。
【００２５】
請求項９に係る発明は、請求項８に記載の木部材接合構造において、  前記埋め込み部材は、前記長ボルトを前記中空孔に挿通して先端部を係止し、該長ボルトに軸線方向の弾性的な伸びが生じた状態で前記中間ナットが前記埋め込み部材の端面に当接された後に、前記木部材に埋め込まれたものとする。
【００２６】
この接合構造では、埋め込み部材と接合金具との間で長ボルトに中間ナットが螺合されているので、接合金具を埋め込み部材に装着する前に、中間ナットを締め付けて長ボルトに引張力を導入することができる。つまり、工場等において長ボルトの先端を埋め込み部材に定着するとともに引張力が導入され伸びが生じた状態で中間ナットを締め付け、中間ナットが埋め込み部材の端面に圧接された状態としておくことができる。そして、この状態で木部材に埋め込むことができる。
【００２７】
上記のように長ボルトが挿入された埋め込み部材が木部材に埋め込まれ、中間ナットに当接するように接合金具が固着されていると、接合金具を埋め込み部材から引き離す方向に力が作用したときに、その力が中間ナットと埋め込み部材との圧接力を上回るまで長ボルトは埋め込み部材の中空孔から引き出されない。したがって、接合金具と埋め込み部材との間の変位量が小さくなり、接合部の剛性が大きくなる。
【００２８】
また、接合部で木部材と被接合部材とを近づける方向の力つまり圧縮力が作用した場合、埋め込み部材の端面が接合金具に直接当接されるのに比べて、中間ナットが介挿されることによって当接面が大きくなるとともに、圧接面が平坦となって双方が密着する。したがって、埋め込み部材から接合金具に対して圧縮力が伝達されるときに、力が局部に集中することがなくなり、接合金具の破壊に対する安全性が向上する。
【００２９】
請求項１０に係る発明は、  請求項１から請求項９までのいずれかに記載の木部材接合構造において、前記木部材は断面が長方形の柱であり、該木部材の端部における長辺方向の両端部にそれぞれ切り欠きが設けられ、  前記埋め込み部材は、該切り欠き内から該柱の軸線方向に埋め込まれ、  前記接合金具は該切り欠き内に固着され、  該柱の端面は、前記被接合部材の水平面に対向して接合されているものとする。
【００３０】
この接合構造では、柱の断面が扁平な長方形となっており、長辺方向の両端部が、上記埋め込み部材と接合金具とによって連結されているので、長辺方向に作用する曲げモーメントに対して有効に抵抗が可能な構造となる。また、両端部のみに接合金具を設ける構造となっているので、簡単な構造で柱の軸力と曲げモーメントとを有効に伝達する構造となる。
【発明の効果】
【００３１】
以上説明したように、本願発明に係る木部材接合構造は、木部材と被接合部材との間でこれらを引き離そうとする力が作用したときに、終局状態に至るまでの塑性変形量が大きくなり、接合された部材による構造物の靱性を高め、粘り強い構造とすることができる。特に柱部材の上端又は下端を梁又は基礎と接合するときに、柱の断面内の二点がこの接合構造によって結合されていると、柱の上端又は下端を曲げモーメントの伝達が可能に接合することができる。そして、この接合部の塑性変形量を増大させ、終局状態に対する安全性を向上させることができる。
また、埋め込み部材と接合金具とを結合する長ボルトに予め引張力を導入しておくことによって接合部の初期剛性を高め、通常の使用状態で構造物に作用する荷重に対する変形や揺れを小さく抑えることができる。
【発明を実施するための最良の形態】
【００３２】
以下、本願発明の実施の形態を図に基づいて説明する。
図１は、本願発明の木部材接合構造が好適に用いられる木造建築物の構造躯体を示す概略斜視図である。
この構造躯体は、木製柱１と木製梁２とを曲げモーメントの伝達が可能に接合したラーメン架構体からなるものであり、コンクリート製の基礎３上で複数のラーメン架構体を組み合わせて形成されている。それぞれのラーメン架構体は、木製の柱１の上に木製の梁２を載置して接合するいわゆる梁勝ち構造となっており、それぞれのラーメン架構体を構成する柱１及び梁２は、これらの軸線を含む立面と平行な方向の断面寸法を大きく、これと直角方向の断面寸法を小さくして扁平な部材となっている。したがって、各ラーメン架構体の接合部は一方向の曲げに抵抗する構造となっている。
【００３３】
図２は、図１に示す構造躯体で用いられる基礎３と柱１との接合構造であって、本願に係る発明の一実施形態を示す分解斜視図である。また、図３は、同じ接合構造の断面図であり、ラーメン架構体の軸線と平行な断面を示すものである。
この接合構造では、柱１の下端面における長辺方向の両端部に切り欠き部１ａが設けられており、切り欠き部１ａからこの柱の軸線方向に２本の埋め込み部材すなわちスクリュー部材１１がねじ込まれている。そして、この切り欠き部１ａに接合金具１４が装着され、スクリュー部材１１の軸線方向に螺合された長ボルト１３とこの長ボルトに螺合される締付ナット１６とによって、上記接合金具１４がスクリュー部材１１に固着されている。
【００３４】
一方、基礎３には、柱のスクリュー部材１１がねじ込まれた位置と対応する位置に、それぞれ鉛直方向のアンカーボルト１２が埋め込まれ、頭部が基礎３の上面より突き出している。そして、このアンカーボルト１２に螺合された締付ナット１５によって接合金具１４が基礎３に固着されている。これにより、基礎３と柱１とはアンカーボルト１２，接合金具１４、長ボルト１３及びスクリュー部材１１を介して接合されている。
【００３５】
上記スクリュー部材１１は、図４に正面図及び断面図を示すように、棒状の鋼部材の側面に螺旋状の張り出し部１１ａを設けたものである。木部材にねじ込まれた状態で張り出し部１１ａが木部材と係合し、相互間でこのスクリュー部材１１の軸線方向及び軸線と直角方向に力が伝達されるものとなっている。また、このスクリュー部材１１の端面から軸線方向に中空孔１１ｂが設けられており、中空孔１１ｂの底部には雌ネジ１１ｃが切削されている。この雌ねじ１１ｃは、中空孔１１ｂに挿入した長ボルト１３の先端が螺合されるものである。
このスクリュー部材１１は、棒状の鋼材を切削して螺旋状の張り出し部１１ａを形成して良いが、鋳造によって張り出し部を有するスクリュー部材を形成しても良い。
【００３６】
上記長ボルト１３は、図２又は図３に示すように、両端部に雄ネジ１３ａ、１３ｂが切削されており、一端はスクリュー部材１１の中空孔１１ｂに挿入されて底部の雌ねじ１１ｃに螺合されるものである。他端は締付ナット１６が螺合され、接合金具１４に係止される。そして、中間部１３ｃの外径は、スクリュー部材の中空孔１１ｂの内径より小さくなっており、スクリュー部材の中空孔１１ｂ内で変形が拘束されないようになっている。
【００３７】
この長ボルト１３は、軟鋼等の破断までの塑性変形量が大きい材料で形成するのが望ましく、構造物の使用部位、構造物を構成する部材の寸法等によって材料や径等を適宜に選択することができる。
【００３８】
上記長ボルト１３に係合した締付ナット１６によって接合金具１４をスクリュー部材１１に固着するときには、接合金具１４がスクリュー部材１１の端面に密着するように締め付けるものであるが、さらに長ボルト１３に大きな引張力が作用して弾性的な伸び変形が生じた状態で接合金具１４を固着してもよい。このように締め付けた状態では、スクリュー部材１１の端面と接合金具１４の上面との間には大きな圧接力が予め作用している。
【００３９】
上記接合金具１４は、図５及び図６に示すように、互いに対向する二つの水平板部３１，３２と、これらを連結する側板部３３とを備え、側板部は、水平板部３１，３２の周縁に沿った一部でこれらの水平板部間を開放するように設けられている。二つの水平板部３１，３２は、柱１にねじ込まれたスクリュー部材１１の端面及び基礎３にそれぞれ当接される。そして、上側の水平板部３３にはボルト孔３４が設けられ、長ボルトの下端が挿通されるものとなっている。下側の水平板部１ｃには、上記ボルト孔３４より径が大きい円孔３５が形成されている。この円孔３５には内側から円形プレート３６が係止され、厚さ方向の一部がこの円孔内に嵌め入れられて周方向の回転が可能となっている。そして、この円形押レート３６には中心から半径方向に軸線を有する長孔３７が設けられており、この長孔に基礎３から突き出したアンカーボルトが挿通されるものとなっている。
【００４０】
上記円形プレート３６は、円孔３５内に一部が嵌め入れられた状態で周方向に回転し、中心から半径方向に設けられた長孔３７の方向を自由に調整することができる。したがって、アンカーボルト１２の位置に誤差があっても、これに対応してアンカーボルト１２を長孔３７内に挿通することができ、これに螺合した締付ナット１５により、円形プレート３６を介して接合金具１４を基礎３に固着することができる。
【００４１】
なお、接合構造の終局破壊時における変形量を制御するために、長ボルトの破断によって破壊が生じるように設定しておくのが望ましく、接合金具１４が十分な強度と剛性を有するように、部材厚の設定及び材料の選択を行うのが望ましい。
【００４２】
図７は、上記のような接合構造によって基礎３上に立設された柱１に、水平方向の大きな力Ｈが作用したときの状態を示す概略図である。
例えば地震時のように柱１の上部に大きな水平力が作用すると柱１の下端には大きな曲げモーメントが発生し、柱の下端部における一方の側縁部には圧縮力が、他方には引張力が作用する。
【００４３】
引張力が生じた側では、柱１にねじ込まれたスクリュー部材１１から長ボルト１３を介して接合金具１４に引張力が伝達される。そして、接合金具１４はアンカーボルト１２によって拘束され、柱１の側縁部に生じる引張力に抵抗する。このとき長ボルト１３にはスクリュー部材１１に螺合された一方の端部１３ａと締付ナット１６が螺合された他方の端部１３ｂとの間に引張力が作用し、伸び変形が生じる。そして、長ボルト１３の引張力が増加するのにともなって、長ボルト１３がスクリュー部材の中空孔１１ｂから引き出され、柱１と基礎３との間に変形が生じる。長ボルト１３の引張応力が降伏点を超えると長ボルト１３の長さ方向における広い範囲で塑性変形が生じ、スクリュー部材１１の端面は接合金具１４の上面から離れて柱と基礎との間の変形量が増大する。しかし、柱１と基礎３とは塑性変形が生じた状態で曲げモーメントに抵抗しており、終局破壊が生じる状態まで大きな変形を生じるものとなる。
【００４４】
なお、長ボルト１３が予め引張力が生じた状態で締め付けられていると、この反力によってスクリュー部材１１と接合金具１４との間に上記引張力の反力として圧接力が作用している。この状態で、柱１及びこれにねじ込まれたスクリュー部材１１を上方へ引き離そうとする力が生じると、スクリュー部材１１と接合金具１４との間の圧接力が減少し、この圧接力が消滅した後に長ボルト１３がスクリュー部材１１の中空孔から引き出され、スクリュー部材１１の端面が接合金具１４から離れて変形が大きく増大する。したがって、作用する水平力が小さいときにはスクリュー部材１１の端面と接合金具１４とが密着した状態が維持され、変形量が小さくなって荷重が小さいときの剛性つまり初期剛性が増大する。つまり、初期荷重に対する変形量、揺れが小さくなる。
一方、柱１の下端面における圧縮力が生じた側では、圧縮力がスクリュー部材１１からこれに当接する接合金具１４に伝達され、接合金具１４の側板部３３を介して基礎３に支持される。
【００４５】
図８は、図１に示す構造躯体で用いることができる基礎３と柱１との接合構造であって、本願に係る発明の他の実施形態を示す断面図である。
この接合構造は、図３に示す接合構造と同様に加工された柱１と、同様にアンカーボルト４２が埋め込まれた基礎３とを接合するものであり、同じ接合金具４４を用いる。ただし、柱１にねじ込まれているスクリュー部材４１は、中空孔が一方の端面から他方の端面まで貫通しており、一方の端面付近に雌ねじが形成されている。そして、使用される長ボルト４３はスクリュー部材４１とほぼ同じ長さもしくはスクリュー部材４１より長いものが用いられている。
【００４６】
この長ボルト４３は、木製の柱１にねじ込まれたスクリュー部材４１の中空孔に、柱の端面側から挿入され、先端部がスクリュー部材４１の反対側の端面付近に切削された雌ネジと螺合される。これにより、長ボルト４３の先端部はスクリュー部材４１に係止され、反対側の端部はスクリュー部材４１から突出する。この長ボルト４３には、図３に示す接合構造と同様にナット４６が螺合され、接合金具４４が固着される。また、この接合金具４４は、図３に示す接合構造と同様にアンカーボルト４２及び締め付けナット４５によって基礎３に接合される。
【００４７】
このような接合構造でも、柱１の下端部に大きな曲げモーメントが生じて曲げ変形が生じたときに、長ボルト４３のほぼ全長にわたって引張力が生じ、柱１と基礎３との接合部が終局破壊に至るときには、長ボルト４３の広い範囲で塑性変形が生じ、柱１と基礎３との接合部が破壊されるまでの変形量が増大する。
また、スクリュー部材４１に設けられた中空孔が一方の端面から反対側の端面まで貫通しており、長ボルト４３を係止するための雌ねじを切削する加工を容易に行うことができる。
【００４８】
なお、スクリュー部材は、図９に示されるように、中空孔が一様な内径で貫通するものを用い、長ボルト５３の先端部がワッシャー５８を介して、長ボルト５３に螺合された定着ナット５７によって係止されるものであってもよい。このような構成とすることによって、スクリュー部材５１の加工が容易となり、製作費用をさらに低減することができる。
【００４９】
図１０は、図１に示す構造躯体で用いられる柱１と基礎３との接合部に用いることができる接合構造であって、本願発明の他の実施形態を示す断面図である。
この接合構造では、図９に示す接合構造で用いられているものと同じスクリュー部材５１、長ボルト５３、定着ナット５７ワッシャー５８及び接合金具５４を使用するものであるが、スクリュー部材５１と接合金具５４と間に中間ナット５９が用いられている。この中間ナット５９は、スクリュー部材５１の反対側にある定着ナット５７との間で、長ボルト５３に引張力が導入された状態でスクリュー部材５１に係止されている。つまり長ボルト５３に作用する引張力の反力として、定着ナット５７及び中間ナット５９はそれぞれスクリュー部材５１の端面に押し付けられ、スクリュー部材５１には全長にわたって圧縮力が導入されている。そして、接合金具５４は中間ナット５９に当接され、さらに重ねて螺合された締付ナット５６によってスクリュー部材５１に固着されている。
【００５０】
上記接合構造では、柱１と基礎３とは次のような工程で接合される。
スクリュー部材５１は、木製の柱１にねじ込まれる前に予め長ボルト５３が挿通され、両端に定着ナット５７と中間ナット５９が螺合される。そして、長ボルト５３に引張力を導入し、弾性的な伸びが生じた状態で中間ナット５９又は定着ナット５７を締め付け、スクリュー部材５１に圧縮力が生じた状態とする。このスクリュー部材５１を長ボルト５３が挿通されたまま木製の柱１に穿設した孔にねじ込み、中間ナット５９から突き出した長ボルト５３を柱の切り欠き１ａ内の表面から突出した状態とする。この突出した長ボルト５３を接合金具５４のボルト孔３４に挿通し、締付ナット５６によって接合金具５４をスクリュー部材５１に固着する。
【００５１】
接合金具５４が固着された柱１は吊り上げて建て込む位置に搬送し、アンカーボルト５２を接合金具５４の長孔３７に挿通して所定の位置に立設する。アンカーボルト５２には、締付ナット５５を螺合し、これを締め付けることによって接合金具５４が基礎３に固着され、この接合金具５４を介して基礎３と木製の柱１とが接合される。
【００５２】
上記のように基礎３と接合された柱１は、下端部に曲げモーメントが生じたときに、引張側ではスクリュー部材５１及び長ボルト５３の上端部とともに柱１を上方に引き揚げようとする力が作用する。一方、長ボルト５３の下端部及び螺合されている中間ナット５９は、接合金具５４を介して基礎３に拘束されている。したがって、上方へ引き揚げようとする力によって長ボルト５３には伸びが生じるが、中間ナット５９とスクリュー部材５１の端面との間に圧接力が作用しており、上記引き揚げ力によって圧接力が消滅するまでは、長ボルト５３伸び量は極僅かであり、接合部の変形が小さくなる。そして、上記圧接力が消滅した後に長ボルト５３の伸びが増大し、端部がスクリュー部材５１の中空孔から引き出される。さらに大きな曲げモーメントが作用することによって長ボルト５３の長さ方向における広い範囲に塑性変形が生じ、終局破壊までの大きな変形量が確保される。
したがって、上記のような接合構造では、初期剛性を大きくして初期荷重に対する変形を小さく抑制するとともに、終局破壊までの変形量を大きくして、破壊に対する安全性を向上させることができる。
【００５３】
なお上記中間ナット５９は、図１１及び図１２に示すように、図３に示す接合構造、又は図８に示す接合構造と同様に、長ボルト１６，４６がスクリュー部材１１，４１に切削された雌ねじと螺合されている場合についても、スクリュー部材１１，４１と接合金具１４，４４との間に介挿して用いることができる。
また、図１１及び図１２に示す接合構造では、図１０に示される接合構造と同様に、載荷初期の変形量を抑制する効果の他に、次のような効果を奏する。
地震時において、柱１の下端部に作用する大きな曲げモーメントによって長ボルト１３，４３に引張応力が生じ、塑性変形が生じた後に反対方向の曲げモーメントが生じると、図１７（ａ）に示すように接合金具１４は中間ナット１７と締付ナット１６との間に挟み込まれた状態が維持されており、長ボルト１３に圧縮応力を生じさせる。つまり、雌ねじに螺合して先端が固定された長ボルト１３を中空孔に押し込むように作用する。そして、圧縮方向に塑性変形が生じて接合金具１４が元の位置まで戻り、さらに変形が生じて柱断面の反対側に使用されている長ボルト１３に引張力が生じる。そして、この長ボルト１３に作用する引張力が降伏点を超えると塑性変形が生じる。このような変形が地震時の震動によって繰り返されると、接合部の変形と曲げモーメントとの関係は、図１８（ａ）に示すような履歴曲線を描くことになる。
【００５４】
これに対し、中間ナットが用いられていないと、図１７ （ｂ）に示すように塑性変形が生じた長ボルト１３の塑性変形は残留したまま接合金具１４が元の位置に戻ることになり、この範囲では反対方向への曲げモーメントに抵抗することなく変形が生じる。したがって、履歴曲線は図１８（ｂ）に示すとおりの形状となる。図１８（ａ）に示される履歴曲線は、図１８（ｂ）に示される履歴曲線に比べてこれらの曲線で囲まれる範囲が大きくなっている。つまり、長ボルト１３に中間ナット１７が螺合されていることにより、長ボルト１３の塑性変形によるエネルギーの吸収量が増大しており、地震時における震動のエネルギーを吸収して震動を減衰するものである。
【００５５】
なお、上記のような地震時の震動を抑制する効果は、中間ナット１７，４７が締付ナット１６，４６との間に接合金具１４，４４を挟み込むように螺合されていれば、長ボルト１３，４３は雌ねじに螺合された先端部と中間ナット１７，４７との間に伸びが生じた状態で係止されていなくてよい。
【００５６】
図１３は、本願に係る接合構造を、図１に示すラーメン架構体の柱１と梁２との接合に用いた例を示す断面図であり、ラーメン架構体の軸線と平行な断面を示すものである。
この接合構造では、柱１の上端面における長辺方向の両端部に切り欠き部１ｂが設けられており、切り欠き部１ｂからこの柱１の軸線方向にスクリュー部材６１がねじ込まれている。スクリュー部材６１、長ボルト６３、締付ナット６６及び接合金具６４は、図１０に示す接合構造と同じものが用いられている。
梁２には、柱１にねじ込まれたスクリュー部材６１と対応する位置に、梁用のスクリュー部材７１がねじ込まれており、このスクリュー部材７１には端面から軸線方向にネジ穴が穿設されている。そして、内周面に雌ねじが切削されており、この雌ねじに螺合されるボルト７２によって接合金具６４が梁２にねじ込まれたスクリュー部材７１に固着されている。
【００５７】
このような接合構造でも、柱１と基礎３とを接合する場合と同様に、終局破壊までの塑性変形量を大きくすることができ、ラーメン架構体の安全性を向上させることができる。また、柱１と梁２との接合部に、図３、図８、図９、図１１又は図１２に示す接合構造で用いられるスクリュー部材１１，４１，５１及び長ボルト１３，４３，５３等を用いることもでき、同様に終局破壊までの塑性変形量を増大するともに、初期剛性を大きくすることもできる。また、これらのスクリュー部材１１，４１，５１及び長ボルト１３，４３，５３等を梁にねじ込んで用いることもできる。
【００５８】
以上に説明した接合構造は、埋め込み部材として、金属の棒状材の周面に螺旋状の張り出し部を有するスクリュー部材を用いるものであったが、いずれの接合構造においても、上記スクリュー部材に代えて、木部材と接着剤で一体化する埋め込み部材を用いることができる。
この埋め込み部材８１、８２は、例えば図１４又は図１５に示すように金属からなる円形断面の棒状部材であって、外周面には接着性を高くするために節状の凸部８１ａ，８２ａが複数設けられたものである。この凸部は、節状に限らず、螺旋状、独立した山状に張り出したもの等、その目的に合致するものであれば様々な形状のものを採用することができる。また、凹部を設けるものであってもよい。
この埋め込み部材８１，８２を木製の柱１に穿設した孔に挿入し、注入口９０から接着剤を注入して固化させる。これにより柱１と埋め込み部材８１，８２が一体に固着され、埋め込み部材８１，８２を引き抜こうとする力に抵抗するものとなる。
この埋め込み部材８１，８２には、前述のスクリュー部材で採用されているいずれのタイプの中空孔を採用することもでき、これに合わせて、同じ長ボルト８３，８４、締付ナット８５、中間ナット８６及び定着ナット８７を用いて同様の接合金具８８と結合することができる。
【図面の簡単な説明】
【００５９】
【図１】本願発明に係る接合構造が好適に用いられる木造建築物の構造躯体を示す概略斜視図である。
【図２】本願に係る発明の一実施形態である接合構造を示す分解斜視図である。
【図３】図２に示す接合構造を示す断面図であり、ラーメン架構体の軸線と平行な断面を示すものである。
【図４】図２及び図３に示す接合構造で用いられるスクリュー部材の正面図及び断面図である。
【図５】図２及び図３に示す接合構造で用いられる接合金具の斜視図である。
【図６】図５に示す接合金具の上面図、底面図及び断面図である。
【図７】図２及び図３に示す接合構造で基礎と接合された柱の変形状態を示す概略図である。
【図８】本願に係る発明の他の実施形態である接合構造を示す断面図である。
【図９】本願に係る発明の他の実施形態である接合構造を示す断面図である。
【図１０】本願に係る発明の他の実施形態である接合構造を示す断面図である。
【図１１】本願に係る発明の他の実施形態である接合構造を示す断面図である。
【図１２】本願に係る発明の他の実施形態である接合構造を示す断面図である。
【図１３】本願に係る発明の他の実施形態であって、柱と梁との接合構造を示す断面図である。
【図１４】本願に係る発明の他の実施形態である接合構造を示す断面図である。
【図１５】本願に係る発明の他の実施形態である接合構造を示す断面図である。
【図１６】柱にねじ込まれた埋め込み部材に作用する応力の状態を示す概略図である。
【図１７】本願発明に係る接合構造に地震時の繰り返し荷重が作用したときの状態を示す概略断面図である。
【図１８】本願発明に係る接合構造における断面力と変位との関係の履歴曲線を示す図である。
【符号の説明】
【００６０】
１：柱、    １ａ，１ｂ：切り欠き部、    ２：梁、    ３：基礎、
１１：スクリュー部材、    １１ａ：張り出し部，    １１ｂ：中空孔，    １１ｃ：雌ねじ、    １２：アンカーボルト、    １３：長ボルト、    １４：接合金具、    １５，１６：締付ナット、
３１：上側の水平板部、    ３２：下側の水平板部、    ３３：側板部、    ３４：ボルト孔、    ３５：円孔、    ３６：円形プレート、    ３７：長孔、
４１：スクリュー部材、    ４２：アンカーボルト、    ４３：長ボルト、    ４４：接合金具、    ４５，４６：締付ナット、
５１：スクリュー部材、    ５２：アンカーボルト、    ５３：長ボルト、    ５４：接合金具、    ５５，５６：締付ナット、    ５７：定着ナット、    ５８：ワッシャー、    ５９：中間ナット、
６１：スクリュー部材、    ６３：長ボルト、    ６４：接合金具、    ６６：締付ナット、    ６７：定着ナット、    ６８：中間ナット、
７１：スクリュー部材、    ７２：ボルト、
８１，８２：埋め込み部材、    ８１ａ，８２ａ：凸部、    ８３，８４：長ボルト、    ８５：締付ナット、    ８６：中間ナット、    ８７：定着ナット、    ８８：接合金具
【図１】
0004707507.tif 000002
【図２】
0004707507.tif 000003
【図３】
0004707507.tif 000004
【図４】
0004707507.tif 000005
【図５】
0004707507.tif 000006
【図６】
0004707507.tif 000007
【図７】
0004707507.tif 000008
【図８】
0004707507.tif 000009
【図９】
0004707507.tif 000010
【図１０】
0004707507.tif 000011
【図１１】
0004707507.tif 000012
【図１２】
0004707507.tif 000013
【図１３】
0004707507.tif 000014
【図１４】
0004707507.tif 000015
【図１５】
0004707507.tif 000016
【図１６】
0004707507.tif 000017
【図１７】
0004707507.tif 000018
【図１８】
0004707507.tif 000019